(57)【要約】【課題】  外観上の体裁が良好でトレイ挿通口を確実に閉鎖すること。【解決手段】  前後進ａ，ｂ方向に沿って水平に延びる長孔１７が各ブラケット８に形成され、該各長孔１７にトレイドア５の各支軸７が移動可能に挿通され、その一方の支軸７と平行するばね軸１８がフロントパネル３ａの裏面に一体突設され、ドアばね１０に押さえばね１９が一体形成され、該ドアばね１０が一方の支軸７に巻回されてその遊端１０ａがトレイドア５に係合されると共に、該押さえばね１９がばね軸１８に巻回されてその遊端１９ａがフロントパネル３ａに係合され、ドアばね１０の付勢力Ｆ１よりも押さえばね１９の付勢力Ｆ２が小さく設定されており、前進ａさせたトレイ１でトレイドア５を押さえばね１９に抗して押すことにより該トレイドア５を水平に前進ａさせた後、ドアばね１０に抗してそのトレイドア５を支軸７回りで開動ｄさせるようにした。【選択図】        図２
2005327354.tif 000002
【特許請求の範囲】
【請求項１】
前後進可能なディスク載置用トレイを備えたプレーヤ本体が筐体内に
配置されると共に、該トレイに対向して筐体のフロントパネルにトレイ挿通口が開設され
、該トレイ挿通口を開閉するためのトレイドアの裏面に左右一対のアームが突設され、該
各アームの先端に突設した支軸が前記フロントパネルの裏面に突設した左右一対のブラケ
ットの円形孔に回転可能に挿通され、前記トレイドアを常時閉動方向に付勢してトレイ挿
通口に配置するドアばねが設けられており、前進させたトレイでトレイドアをドアばねに
抗して押すことにより該トレイドアを支軸回りで開動させるようにしたディスク装置にお
いて、前記円形孔に代えて前後進方向に沿って水平に延びる長孔が前記各ブラケットに形
成され、該各長孔に前記各支軸が移動可能に挿通され、その一方の支軸と下方で平行する
ばね軸がフロントパネルの裏面に一体突設され、前記ドアばねに押さえばねが一体形成さ
れ、該ドアばねが一方の支軸に巻回されてその遊端が一方のアームに係合されると共に、
該押さえばねがばね軸に巻回されてその遊端がフロントパネルに係合され、ドアばねの付
勢力よりも押さえばねの付勢力が小さく設定されており、前進させたトレイでトレイドア
を押さえばねに抗して押すことにより該トレイドアを水平に前進させた後、ドアばねに抗
してそのトレイドアを支軸回りで開動させるようにしたことを特徴とするディスク装置。
【請求項２】
前後進可能なディスク載置用トレイを備えたプレーヤ本体が筐体内に
配置されると共に、該トレイに対向して筐体のフロントパネルにトレイ挿通口が開設され
、該トレイ挿通口を開閉するためのトレイドアの裏面に左右一対のアームが突設され、該
各アームの先端に突設した支軸が前記フロントパネルの裏面に突設した左右一対のブラケ
ットの円形孔に回転可能に挿通され、前記トレイドアを常時閉動方向に付勢してトレイ挿
通口に配置するドアばねが設けられており、前進させたトレイでトレイドアをドアばねに
抗して押すことにより該トレイドアを支軸回りで開動させるようにしたディスク装置にお
いて、前記円形孔に代えて前進方向に向かって斜め上向きに延びる長孔が前記各ブラケッ
トに形成され、該各長孔に前記各支軸が移動可能に挿通され、その一方の支軸と下方で平
行するばね軸がフロントパネルの裏面に一体突設され、前記ドアばねに押さえばねが一体
形成され、該ドアばねが一方の支軸に巻回されてその遊端が一方のアームに係合されると
共に、該押さえばねがばね軸に巻回されてその遊端がフロントパネルに係合され、ドアば
ねの付勢力よりも押さえばねの付勢力が小さく設定されており、前進させたトレイでトレ
イドアを押さえばねに抗して押すことにより該トレイドアを斜め上向きに前進させた後、
ドアばねに抗してそのトレイドアを支軸回りで開動させるようにしたことを特徴とするデ
ィスク装置。
【請求項３】
前後進可能なディスク載置用トレイを備えたプレーヤ本体が筐体内に
配置されると共に、該トレイに対向して筐体のフロントパネルにトレイ挿通口が開設され
、該トレイ挿通口を開閉するためのトレイドアの裏面に左右一対のアームが突設され、該
各アームの先端に突設した支軸が前記フロントパネルの裏面に突設した左右一対のブラケ
ットに支持され、前記トレイドアを常時閉動方向に付勢してトレイ挿通口に配置するドア
ばねが設けられており、前進させたトレイでトレイドアをドアばねに抗して押すことによ
り該トレイドアを支軸回りで開動させるようにしたディスク装置において、各ブラケット
に長孔が形成され、該各長孔に前記各支軸が移動可能に挿通され、その一方の支軸を介し
てトレイドアを後進方向に付勢する押さえばねが設けられ、該押さえばねの付勢力がドア
ばねの付勢力よりも小さく設定されており、前進させたトレイでトレイドアを押さえばね
に抗して押すことにより該トレイドアを前進させた後、ドアばねに抗してそのトレイドア
を支軸回りで開動させるようにしたことを特徴とするディスク装置。
【請求項４】
前記一方の支軸と平行するばね軸がフロントパネルの裏面に一体突設
され、前記ドアばねに押さえばねが一体形成され、該ドアばねが一方の支軸に巻回されて
その遊端が一方のアームに係合されると共に、該押さえばねがばね軸に巻回されてその遊
端がフロントパネルに係合されていることを特徴とする請求項３に記載のディスク装置。
【請求項５】
前記長孔が前後進方向に沿って水平に延びていることを特徴とする請
求項３または４に記載のディスク装置。
【請求項６】
前記長孔が前進方向に向かって斜め上向きに延びていることを特徴と
する請求項３または４に記載のディスク装置。
【発明の詳細な説明】
【技術分野】
【０００１】
本発明は、例えばＤＶＤなどのトレイドアを円滑に開閉するようにしたディスク装置に
関する。
【背景技術】
【０００２】
従来、ディスク装置の一例として特許文献１などに記載したものがあり、その一例を図
８〜図１１に基づいて説明すると、これは、前後進ａ，ｂ可能なディスクＤ載置用トレイ
１を備えたプレーヤ本体２が筐体３内に配置されると共に、該トレイ１に対向して筐体３
の合成樹脂製フロントパネル３ａにトレイ挿通口４が開設され、該トレイ挿通口４を開閉
するための合成樹脂製トレイドア５の裏面に左右一対の略コ字状アーム６が突設され、該
各アーム６の先端に突設した支軸７が前記フロントパネル３ａの裏面に突設した左右一対
のブラケット８の円形孔９に矢印ｃ，ｄ方向に回転可能に挿通され、一方の支軸７に巻回
したドアばね１０の両端部を一方のアーム６のストッパ突起６ａとフロントパネル３ａの
裏面とに係合させることにより、前記トレイドア５が常時閉動方向ｃに付勢されてトレイ
挿通口４に配置され、トレイドア５の裏面両端にトレイ用当たり板１１が突設されている
。なお、図８中、１２は他方のブラケット８に接近してフロントパネル３ａの裏面に突設
された支軸抜け止め片、１３は電源釦、１４は各種操作釦、１５はエジェクト釦である。
【０００３】
エジェクト動作を説明すると、図９（ａ）に実線で示すように、トレイドア５によりト
レイ挿通口４を閉鎖した状態でエジェクト釦１５を押すと、そのエジェクト信号に基づい
てトレイ１が前進ａされ、その前進ａさせたトレイ１で当たり板１１を介してトレイドア
５をドアばね１０に抗して押すことにより該トレイドア５を支軸７回りで開動ｄさせる〔
図９（ａ）仮想線参照〕。次に、最前進ａさせたトレイ１上からディスクＤを取り外した
り新たなディスクＤを載置した後、エジェクト釦１５を押すことにより、そのエジェクト
信号に基づいてトレイ１が後進ｂされてプレーヤ本体２内に収納され〔図９（ａ）参照〕
、それとほぼ同時に、トレイドア５がドアばね１０により閉動ｃされてトレイ挿通口４を
閉鎖する。
【特許文献１】特開２００３−５１１８１号公報
【発明の開示】
【発明が解決しようとする課題】
【０００４】
上記従来の構成では、トレイドア５が支軸７回りで開閉動作ｃ，ｄされるだけであるか
ら、その開閉動作ｃ，ｄの際に該トレイドア５がフロントパネル３ａに接触しないように
、そのフロントパネル３ａの前面のトレイ挿通口４の下縁部にトレイ用逃げ空間αを形成
する必要があり、その逃げ空間αによってトレイドア５の下面が外部に露出して外観上の
体裁が悪くなる。
【０００５】
また、図９（ｂ）に一点鎖線及び二点鎖線で示すように、トレイドア５が製作誤差や変
形などにより当初の位置からずれて、該トレイドア５の周縁部５ａがトレイ挿通口４の周
縁部からわずかに離れ、該トレイ挿通口４をトレイドア５により確実に閉鎖することがで
きないことがあり、この場合、その位置ずれを修正することができないから、トレイドア
５とトレイ挿通口４との間に生じた隙間から筐体３内に塵埃などが入り込むことになる。
【０００６】
本発明は、上記従来の欠点に鑑み、外観上の体裁が良好でトレイ挿通口を確実に閉鎖で
きるようにしたディスク装置を提供することを目的としてしている。
【課題を解決するための手段】
【０００７】
上記目的を達成するため、請求項１に記載の発明は、前後進可能なディスク載置用トレ
イを備えたプレーヤ本体が筐体内に配置されると共に、該トレイに対向して筐体のフロン
トパネルにトレイ挿通口が開設され、該トレイ挿通口を開閉するためのトレイドアの裏面
に左右一対のアームが突設され、該各アームの先端に突設した支軸が前記フロントパネル
の裏面に突設した左右一対のブラケットの円形孔に回転可能に挿通され、前記トレイドア
を常時閉動方向に付勢してトレイ挿通口に配置するドアばねが設けられており、前進させ
たトレイでトレイドアをドアばねに抗して押すことにより該トレイドアを支軸回りで開動
させるようにしたディスク装置において、前記円形孔に代えて前後進方向に沿って水平に
延びる長孔が前記各ブラケットに形成され、該各長孔に前記各支軸が移動可能に挿通され
、その一方の支軸と下方で平行するばね軸がフロントパネルの裏面に一体突設され、前記
ドアばねに押さえばねが一体形成され、該ドアばねが一方の支軸に巻回されてその遊端が
一方のアームに係合されると共に、該押さえばねがばね軸に巻回されてその遊端がフロン
トパネルに係合され、ドアばねの付勢力よりも押さえばねの付勢力が小さく設定されてお
り、前進させたトレイでトレイドアを押さえばねに抗して押すことにより該トレイドアを
水平に前進させた後、ドアばねに抗してそのトレイドアを支軸回りで開動させるようにし
たことを特徴としている。
【０００８】
請求項２に記載の発明は、前後進可能なディスク載置用トレイを備えたプレーヤ本体が
筐体内に配置されると共に、該トレイに対向して筐体のフロントパネルにトレイ挿通口が
開設され、該トレイ挿通口を開閉するためのトレイドアの裏面に左右一対のアームが突設
され、該各アームの先端に突設した支軸が前記フロントパネルの裏面に突設した左右一対
のブラケットの円形孔に回転可能に挿通され、前記トレイドアを常時閉動方向に付勢して
トレイ挿通口に配置するドアばねが設けられており、前進させたトレイでトレイドアをド
アばねに抗して押すことにより該トレイドアを支軸回りで開動させるようにしたディスク
装置において、前記円形孔に代えて前進方向に向かって斜め上向きに延びる長孔が前記各
ブラケットに形成され、該各長孔に前記各支軸が移動可能に挿通され、その一方の支軸と
下方で平行するばね軸がフロントパネルの裏面に一体突設され、前記ドアばねに押さえば
ねが一体形成され、該ドアばねが一方の支軸に巻回されてその遊端が一方のアームに係合
されると共に、該押さえばねがばね軸に巻回されてその遊端がフロントパネルに係合され
、ドアばねの付勢力よりも押さえばねの付勢力が小さく設定されており、前進させたトレ
イでトレイドアを押さえばねに抗して押すことにより該トレイドアを斜め上向きに前進さ
せた後、ドアばねに抗してそのトレイドアを支軸回りで開動させるようにしたことを特徴
としている。
【０００９】
請求項３に記載の発明は、前後進可能なディスク載置用トレイを備えたプレーヤ本体が
筐体内に配置されると共に、該トレイに対向して筐体のフロントパネルにトレイ挿通口が
開設され、該トレイ挿通口を開閉するためのトレイドアの裏面に左右一対のアームが突設
され、該各アームの先端に突設した支軸が前記フロントパネルの裏面に突設した左右一対
のブラケットに支持され、前記トレイドアを常時閉動方向に付勢してトレイ挿通口に配置
するドアばねが設けられており、前進させたトレイでトレイドアをドアばねに抗して押す
ことにより該トレイドアを支軸回りで開動させるようにしたディスク装置において、各ブ
ラケットに長孔が形成され、該各長孔に前記各支軸が移動可能に挿通され、その一方の支
軸を介してトレイドアを後進方向に付勢する押さえばねが設けられ、該押さえばねの付勢
力がドアばねの付勢力よりも小さく設定されており、前進させたトレイでトレイドアを押
さえばねに抗して押すことにより該トレイドアを前進させた後、ドアばねに抗してそのト
レイドアを支軸回りで開動させるようにしたことを特徴としている。
【００１０】
請求項４に記載の発明は、請求項３に記載の発明において、前記一方の支軸と平行する
ばね軸がフロントパネルの裏面に一体突設され、前記ドアばねに押さえばねが一体形成さ
れ、該ドアばねが一方の支軸に巻回されてその遊端が一方のアームに係合されると共に、
該押さえばねがばね軸に巻回されてその遊端がフロントパネルに係合されていることを特
徴としている。
【００１１】
請求項５に記載の発明は、請求項３または４に記載の発明において、前記長孔が前後進
方向に沿って水平に延びていることを特徴としている。
【００１２】
請求項６に記載の発明は、請求項３または４に記載の発明において、前記長孔が前進方
向に向かって斜め上向きに延びていることを特徴としている。
【発明の効果】
【００１３】
請求項１に記載の発明は第１の実施の形態（図１〜図５参照）に対応するものであって
、これによれば、トレイドアをトレイ挿通口の近くで長孔に沿って前後進させるようにな
っているから、フロントパネルの前面のトレイ挿通口の下縁部に従来のようにトレイ用逃
げ空間を形成する必要がなく、トレイドアの下面を外部に露出させないように隠して外観
上の体裁を良好に維持することができる。
【００１４】
また、トレイドアが製作誤差や変形などにより当初の位置からずれて、従来であればそ
のトレイドアとトレイ挿通口との間にわずかな隙間が生じる場合でも、押さえばねに抗し
て支軸が長孔に沿ってわずかに変位することにより、その位置ずれが修正されるから、ト
レイドアの周縁部をトレイ挿入口の周縁部に確実に密着させてその両者間に隙間が生じな
いようにして筐体内に塵埃などが入り込まないようにできる。
【００１５】
更に、ドアばねに押さえばねが一体形成されているから、該両ばねを別個にする場合に
比べて、その両ばねを一方の支軸とばね軸とに迅速容易に取り付けることができると共に
、部品点数が増加せず、製作費を安くすることができる。
【００１６】
ここで特に、長孔が前後進方向に沿って水平に延びているから、トレイドアをトレイ挿
通口に引っ掛からないように円滑に水平に開閉動作させることができる。
【００１７】
請求項２に記載の発明は第２の実施の形態（図６参照）に対応するものであって、これ
によれば、請求項１に記載の発明とほぼ同様の効果を得ることができると共に、特に、長
孔が前進方向に向かって斜め上向きに延びているから、トレイドアの上下両側縁とトレイ
挿通孔との間の隙間が斜め上向きとなって正面から隠れるので、外観上の体裁を一層向上
させることができる。
【００１８】
請求項３に記載の発明は基本形態であって、トレイドアをトレイ挿通口の近くで長孔に
沿って前後進させるようになっているから、フロントパネルの前面のトレイ挿通口の下縁
部に従来のようにトレイ用逃げ空間を形成する必要がなく、トレイドアの下面を外部に露
出させないように隠して外観上の体裁を良好に維持することができる。
【００１９】
また、トレイドアが製作誤差や変形などにより当初の位置からずれて、従来であればそ
のトレイドアとトレイ挿通口との間にわずかな隙間が生じる場合でも、押さえばねに抗し
て支軸が長孔に沿ってわずかに変位することにより、その位置ずれが修正されるから、ト
レイドアの周縁部をトレイ挿入口の周縁部に確実に密着させてその両者間に隙間が生じな
いようにして筐体内に塵埃などが入り込まないようにできる。
【００２０】
請求項４に記載の発明によれば、ドアばねに押さえばねが一体形成されているから、該
両ばねを別個にする場合に比べて、その両ばねを一方の支軸とばね軸とに迅速容易に取り
付けることができると共に、部品点数が増加せず、製作費を安くすることができる。
【００２１】
請求項５に記載の発明によれば、長孔が前後進方向に沿って水平に延びているから、ト
レイドアをトレイ挿通口に引っ掛からないように円滑に水平に開閉動作させることができ
る。
【００２２】
請求項６に記載の発明によれば、長孔が前進方向に向かって斜め上向きに延びているか
ら、請求項５に記載の発明と同様の効果を得ることができると共に、特に、トレイドアの
上下両側縁とトレイ挿通孔との間の隙間が斜め上向きとなって正面から隠れるので、外観
上の体裁を一層向上させることができる。
【発明を実施するための最良の形態】
【００２３】
図１〜図５は本発明の第１の実施の形態であるＤＶＤ型ディスク装置を示すものであっ
て、各ブラケット８に前後進ａ，ｂ方向に沿って水平に延びる長孔１７が形成され、該各
長孔１７に各支軸７が移動可能に挿通され、その一方の支軸７と下方で平行するばね軸１
８がフロントパネル３ａの裏面に一体突設され、ドアばね１０に押さえばね１９が一体形
成され、該ドアばね１０が一方の支軸７に巻回されてその遊端１０ａが一方のアーム６の
ストッパ突起６ａに係合されると共に、該押さえばね１９がばね軸１８に巻回されてその
遊端１９ａがフロントパネル３ａの裏面に係合されている。上記以外の構成は図８〜図１
１に示す構成とほぼ同じであるから、同一部分に同一符号を付してその説明を省略する。
【００２４】
前記ドアばね１０及び押さえばね１９は、図４（ａ）及び（ｂ）に示すように、１本の
ばね線材からなり、該ばね線材の中央部を略コ字状に折り曲げて共有端部２０が形成され
、該共有端部２０を間に挟んでそのばね線材の両側部をコイル状に巻くことによりドアば
ね１０と押さえばね１９とが形成されている。
【００２５】
また、両ばね１０，１９に負荷をかけていない状態〔図４（ａ）仮想線参照〕から該両
ばね１０，１９を一方のアーム６のストッパ突起６ａとフロントパネル３ａとの間にセッ
トした場合に、ドアばね１０の遊端１０ａの弾性変位角度βよりも押さえばね１９の遊端
１９ａの弾性変位角度θを小さくすることにより〔図４（ａ）実線参照〕、そのドアばね
１０の付勢力Ｆ１よりも押さえばね１９の付勢力Ｆ２が小さくなるように設定されている
（Ｆ１＞Ｆ２）。
【００２６】
上記構成によれば、ドアばね１０に押さえばね１９が一体形成されているから、該両ば
ね１０，１９を別個にする場合に比べて、その両ばね１０，１９を一方の支軸７とばね軸
１８とに迅速容易に取り付けることができると共に、部品点数が増加せず、製作費を安く
することができる。
【００２７】
エジェクト動作を説明すると、図２（ａ）に示すように、トレイドア５によりトレイ挿
通口４を閉鎖した状態でエジェクト釦１５を押すと、そのエジェクト信号に基づいてトレ
イ１が前進ａされ、その前進ａさせたトレイ１で当たり板１１を介してトレイドア５を押
さえばね１９に抗して押すことにより、各支軸７が長孔１７内を前方に移動され、図２（
ｂ）に示すように、トレイドア５を水平に前進ａさせる。続いて、図２（ｃ）に示すよう
に、ドアばね１０に抗してトレイドア５を支軸７回りで開動ｄさせる。
【００２８】
その後、最前進ａさせたトレイ１上からディスクＤを取り外したり新たなディスクＤを
載置した後、エジェクト釦１５を押すことにより、そのエジェクト信号に基づいてトレイ
１が後進ｂされてプレーヤ本体２内に収納され、それとほぼ同時に、トレイドア５がドア
ばね１０により閉動ｃされると共に、押さえばね１９によりトレイドア５が水平に後進ｂ
されてトレイ挿通口４を閉鎖する〔図２（ａ）参照〕。
【００２９】
上記構成によれば、トレイドア５をトレイ挿通口４の近くで長孔１７に沿って前後進ａ
，ｂさせるようになっているから〔図２（ｂ）参照〕、フロントパネル３ａの前面のトレ
イ挿通口４の下縁部に従来のようにトレイ用逃げ空間α（図１１参照）を形成する必要が
なく、トレイドア５の下面を外部に露出させないように隠して外観上の体裁を良好に維持
することができる（図５参照）。
【００３０】
また、トレイドア５が製作誤差や変形などにより当初の位置からずれて、従来であれば
そのトレイドア５とトレイ挿通口４との間にわずかな隙間が生じる場合でも〔図９（ｂ）
の一点鎖線及び二点鎖線参照〕、押さえばね１９に抗して支軸７が長孔１７に沿ってわず
かに変位することにより、その位置ずれが修正されるから、トレイドア５の周縁部５ａを
トレイ挿通口４の周縁部に確実に密着させてその両者４，５間に隙間が生じないようにし
て筐体３内に塵埃などが入り込まないようにできる〔図２（ｄ）参照〕。
【００３１】
ここで特に、長孔１７が前後進ａ，ｂ方向に沿って水平に延びているから、トレイドア
５をトレイ挿通口４に引っ掛からないように円滑に水平に開閉動作ｃ，ｄさせることがで
きる。
【００３２】
図６（ａ）及び（ｂ）は本発明の第２の実施の形態であるＤＶＤ型ディスク装置を示す
ものであって、長孔１７が前進ａ方向に向かって所定角度γ（例えば２０〜４５°）斜め
上向きに延びている。上記以外の構成は図１〜図５に示す第１の実施の形態とほぼ同じで
あるから、同一部分に同一符号を付してその説明を省略する。
【００３３】
上記構成によれば、第１の実施の形態ととほぼ同様の効果を得ることができると共に、
特に、長孔１７が前進ａ方向に向かって斜め上向きに延びているから、トレイドア５の上
下両側縁とトレイ挿通口４との間の隙間２２が斜め上向きとなって正面から隠れるので、
外観上の体裁を一層向上させることができる。
【００３４】
前記各実施の形態では、ドアばね１０の付勢力Ｆ１よりも押さえばね１９の付勢力Ｆ２
が小さくなるように設定するために、両ばね１０，１９の遊端１０ａ，１９ａの弾性変位
角度β，θを調整したが、これに限定されるわけではなく、図７に示すように、ドアばね
１０の遊端１０ａの長さＬ１よりも押さえばね１９の遊端１９ａの長さＬ２を大きくして
もよい（第３の実施の形態）。
【産業上の利用可能性】
【００３５】
上記の各実施の形態ではＤＶＤ型ディスク装置を例にあげて説明したが、これに限定さ
れるわけではなく、ＤＶＤ一体型ビデオデッキなどの各種電気機器にも適用される。
【図面の簡単な説明】
【００３６】
【図１】本発明の第１の実施の形態であるＤＶＤ型ディスク装置を示す正面図である。
【図２】（ａ）はエジェクト動作の前段を示す縦断面図、（ｂ）は同動作の中段を示す縦断面図、（ｃ）は同動作の後段を示す縦断面図、（ｄ）は要部の拡大縦断面図である。
【図３】同要部の分解斜視図である。
【図４】（ａ）はばねセット状態を示す側面図、（ｂ）は同状態の正面図である。
【図５】同トレイドア付近の正面側斜視図である。
【図６】（ａ）は本発明の第２の実施の形態であるＤＶＤ型ディスク装置の縦断面図、（ｂ）は同要部の拡大縦断面図である。
【図７】本発明の第３の実施の形態であるＤＶＤ型ディスク装置のばねセット状態を示す側面図である。
【図８】従来例を示す正面図である。
【図９】（ａ）はエジェクト動作を示す縦断面図、（ｂ）は要部の拡大縦断面図である。
【図１０】同要部の分解斜視図である。
【図１１】同トレイドア付近の正面側斜視図である。
【符号の説明】
【００３７】
１          トレイ
２          プレーヤ本体
３          筐体
３ａ        フロントパネル
４          トレイ挿通口
５          トレイドア
６          アーム
７          支軸
８          ブラケット
９          円形孔
１０        ドアばね
１０ａ      ドアばねの遊端
１７        長孔
１８        ばね軸
１９        押さえばね
１９ａ      押さえばねの遊端
ａ，ｂ      前後進
ｃ，ｄ      開閉動作
Ｄ          ディスク
【図１】
2005327354.tif 000003
【図２】
2005327354.tif 000004
【図３】
2005327354.tif 000005
【図４】
2005327354.tif 000006
【図５】
2005327354.tif 000007
【図６】
2005327354.tif 000008
【図７】
2005327354.tif 000009
【図８】
2005327354.tif 000010
【図９】
2005327354.tif 000011
【図１０】
2005327354.tif 000012
【図１１】
2005327354.tif 000013